(57)【特許請求の範囲】
【請求項１】
表示部及び表示部を制御する制御部を具備し、
この制御部がこの表示部に対して、
ある駐車場へ車両を駐車する予約が有るか無いかを確認する画面を提示し、
予約が無しの入力に応答して、予約駐車期間に相当する駐車開始及び駐車終了日時を特定する画面を提示して利用者に対して予約での駐車を促し、
当該利用者により特定された予約駐車期間に駐車領域の空きがない場合、当該予約駐車期間における予約済みの駐車領域を、予約無しの他の駐車領域へ変更して当該予約駐車期間の空きを確保し、
当該駐車場の予約状況からその予約駐車期間での駐車が可能か否かを提示し、
駐車が可能な場合に、予約の入力に応答してその期間の車両の駐車予約を確保し、
予約が有りの入力に応答して、予約駐車期間に相当する駐車開始及び駐車終了日時を特定する画面を提示させることを特徴とする駐車予約清算機。
【請求項２】
表示部及び表示部を制御する制御部を具備し、
この制御部がこの表示部に対して、
ある駐車場へ車両を駐車する予約が有るか無いかを確認する画面を提示し、
予約がなしに応答して少なくとも時間単位の短期駐車モード及び日数の単位を含む駐車期間に相当する長期駐車モードのいずれかの選択を促す画面を提示し、
前記駐車モードを選択する入力に応答して、予約駐車期間に相当する駐車開始及び駐車終了日時を特定する画面を提示して利用者に対して予約での駐車を促し、
当該利用者により特定された予約駐車期間に駐車領域の空きがない場合、当該予約駐車期間における予約済みの駐車領域を、予約無しの他の駐車領域へ変更して当該予約駐車期間の空きを確保し、
当該駐車場の予約状況からその予約駐車期間での駐車が可能か否かを提示し、
駐車が可能な場合に、予約の入力に応答してその期間の車両の駐車予約を確保し、
予約が有りの入力に応答して、予約駐車期間に相当する駐車開始及び駐車終了日時を特定する画面を提示させることを特徴とする駐車予約清算機。
【請求項３】
通信網を介して利用者の端末に駐車場予約に関する情報を提示し、駐車場の予約を受け付けるサーバを備える駐車予約システムであって、
当該サーバが
時間単位の短期駐車モード及び日数の単位を含む駐車期間に相当する長期駐車モードのいずれかの選択を促す画面を前記利用者の端末に提示し、
前記駐車モードを選択する入力に応答して、利用者に対して予約駐車期間に相当する駐車開始及び駐車終了日時を特定し、予約での駐車を促す画面を前記利用者の端末に提示し、
駐車予約の入力に応答して当該駐車場の予約状況からその予約駐車期間での駐車が可能か否かの画面を前記利用者の端末に提示する駐車予約システムにおいて、
当該利用者により特定された予約駐車期間に駐車領域の空きがない場合、当該予約駐車期間における予約済みの駐車領域を予約無しの他の駐車領域に変更し、当該予約駐車期間の空きを確保して駐車場の予約をすることを特徴とする駐車予約システム。
【発明の詳細な説明】
【０００１】
【発明の属する技術分野】
この発明は、駐車予約精算機及びこの予約精算機を備えた駐車システムに係り、特に、時間貸し、特定時間帯或いは特定期間の駐車予約が可能な駐車予約精算機及び駐車システムに関する。
【０００２】
【従来の技術】
一般に、外来者を対象にした時間貸しで駐車可能な駐車場及び特定者を対象にした月極駐車場が殆どで、通常、月極の駐車エリアに特定者以外の車両を駐車することができず、また、時間貸しの駐車場に長期間特定の車両を駐車することは、利用金額が高額となり、利用者にとっては、コストの面から不利とされている。
【０００３】
しかしながら、車社会の進展に伴い、時間単位、曜日単位、或いは、季節単位等の日時に関して、また、繁華街、ビジネス街、或いは、住宅街等の地域に関して、駐車場利用者の利用態様が様々となり、現行の駐車場の管理システムは、利用者の要望に適合し難くなりつつある。例えば、繁華街では、土曜及び日曜日の駐車場利用者が急増するに対して繁華街に隣接したビジネス街では、ビジネス用の駐車エリアが利用されないままにある場合が殆どであり、繁華街に近接しているにも拘わらず利用されないままとなっている。また、営業用の車両が住宅街に出向いて営業活動に従事する場合においては、通常、住宅街では、月極の駐車エリアが殆どであり、月極の駐車エリアがあるにも拘わらず、路上駐車をしなければならない場合がしばしば生ずる。このような事態は、しばしば運転者の不法駐車を招き、交通渋滞或いは事故の原因となっている。
【０００４】
【発明が解決しようとする課題】
以上のように、現行の駐車場システムは、駐車場利用者の様々な要望に適合し難くなっている。また、駐車場利用者の様々な要望に応えようとすると、多くの人手必要となり、実質的に駐車料金が高額となる問題がある。また、駐車場利用者の要望が一様でなくなり、駐車場の管理が複雑となり、単に人手を多くしただけでは、安全且つ確実に駐車場を管理することが困難である問題がある。
【０００５】
この発明は、上述したような事情に鑑みなされたものであって、駐車場利用者の様々な要望に応えることができる駐車予約精算機及びこの予約精算機を備えた駐車システムを提供するにある。
【０００６】
【課題を解決するための手段】
この発明によれば、
表示部及び表示部を制御する制御部を具備し、
この制御部がこの表示部に対して、
ある駐車場へ車両を駐車する予約が有るか無いかを確認する画面を提示し、
予約が無しの入力に応答して、予約駐車期間に相当する駐車開始及び駐車終了日時を特定する画面を提示して利用者に対して予約での駐車を促し、
当該利用者により特定された予約駐車期間に駐車領域の空きがない場合、当該予約駐車期間における予約済みの駐車領域を、予約無しの他の駐車領域へ変更して当該予約駐車期間の空きを確保し、
当該駐車場の予約状況からその予約駐車期間での駐車が可能か否かを提示し、
駐車が可能な場合に、予約の入力に応答してその期間の車両の駐車予約を確保し、
予約が有りの入力に応答して、予約駐車期間に相当する駐車開始及び駐車終了日時を特定する画面を提示させることを特徴とする駐車予約清算機が提供される。
【０００８】
また、この発明によれば、
表示部及び表示部を制御する制御部を具備し、
この制御部がこの表示部に対して、
ある駐車場へ車両を駐車する予約が有るか無いかを確認する画面を提示し、
予約がなしに応答して少なくとも時間単位の短期駐車モード及び日数の単位を含む駐車期間に相当する長期駐車モードのいずれかの選択を促す画面を提示し、
前記駐車モードを選択する入力に応答して、予約駐車期間に相当する駐車開始及び駐車終了日時を特定する画面を提示して利用者に対して予約での駐車を促し、
当該利用者により特定された予約駐車期間に駐車領域の空きがない場合、当該予約駐車期間における予約済みの駐車領域を、予約無しの他の駐車領域へ変更して当該予約駐車期間の空きを確保し、
当該駐車場の予約状況からその予約駐車期間での駐車が可能か否かを提示し、
駐車が可能な場合に、予約の入力に応答してその期間の車両の駐車予約を確保し、
予約が有りの入力に応答して、予約駐車期間に相当する駐車開始及び駐車終了日時を特定する画面を提示させることを特徴とする駐車予約清算機が提供される。
【００１０】
更に、この発明によれば、
通信網を介して利用者の端末に駐車場予約に関する情報を提示し、駐車場の予約を受け付けるサーバを備える駐車予約システムであって、
当該サーバが
時間単位の短期駐車モード及び日数の単位を含む駐車期間に相当する長期駐車モードのいずれかの選択を促す画面を前記利用者の端末に提示し、
前記駐車モードを選択する入力に応答して、利用者に対して予約駐車期間に相当する駐車開始及び駐車終了日時を特定し、予約での駐車を促す画面を前記利用者の端末に提示し、
駐車予約の入力に応答して当該駐車場の予約状況からその予約駐車期間での駐車が可能か否かの画面を前記利用者の端末に提示する駐車予約システムにおいて、
当該利用者により特定された予約駐車期間に駐車領域の空きがない場合、当該予約駐車期間における予約済みの駐車領域を予約無しの他の駐車領域に変更し、当該予約駐車期間の空きを確保して駐車場の予約をすることを特徴とする駐車予約システムが提供される。
【００１１】
【発明の実施の形態】
以下図面を参照してこの発明の一実施の形態に係る駐車予約精算機及びこの予約精算機を備えた駐車システムを説明する。
【００１２】
図１は、この発明の一実施の形態に係る予約精算機を備えた駐車システムを概略的に示している。
【００１３】
この図１に示される駐車システムでは、車両１０、例えば、普通車１０が入場する入口２に駐車予約精算機４が設置されている。この実施例では、駐車を終えた車両１０が退出する出口６において、この駐車予約精算機４を操作できるようにこの駐車予約精算機４が設置されているが、駐車場の入口２及び出口６に夫々駐車予約精算機４が設置されても良い。この駐車予約精算機４は、後に詳述するように図２に示す管理センタ２６内の駐車場管理システム３０に接続されている。
【００１４】
図１に示す駐車場入口２には、運転者から認識可能な位置に、駐車に関する駐車情報を表示する表示器１６が設けられている。この表示器１６には、×○×○パーキングにようこそ、駐車可、或いは、駐車予約可能な駐車場等が表示される。また、入口２及び出口６には、夫々車両１０の入場及び退出を許可する遮断開閉装置が設けられても良い。これら遮断開閉装置及び表示器１６は、必要に応じて設けられれば良く、これら遮断開閉装置及び表示器１６に代えて必要に応じて駐車場に駐車係の人員が配置され、この駐車係から必要な情報が利用者に与えられ、また、駐車場係りの誘導で車両１０が駐車エリア１８に向けられても良い。
【００１５】
また、駐車場入口２及び出口６には、車両１０の有無を検出するセンサ１３、１５、例えば、磁気ループコイルセンサが設けられ、車両１０の入退場が検出される。このセンサ１３、１５は、中継ボックス２４を介して管理センタ２６内に設けられた図２に示されるような駐車場管理システム３０に接続され、入場した車両及び退出する車両の有無の検出信号が駐車場管理システム３０に送り出される。
【００１６】
駐車場には、当然に車両１０を駐車することができるエリア１８、図示の例では、５つの駐車エリア１８−１（Ｎ０．１）〜１８−５（Ｎ０．５）が設けられ、この駐車エリア１８−１（Ｎ０．１）〜１８−５（Ｎ０．５）には、車両１０の有無を感知するセンサ２０、例えば、磁気ループコイルセンサが設けられている。磁気ループコイルセンサ２０では、その近傍に車両１０がある場合及びない場合で、空間の透磁率が変化されることを利用して車両１０の有無を検出している。センサは、ループコイルセンサ２０に拘わらず、圧力センサ、機械式センサ等の駐車エリア１８に車両１０があるか否かを検出できるものであれば何れのタイプのものでも良い。また、各駐車エリア１８−１（Ｎ０．１）〜１６−５（Ｎ０．５）には、表示器２２が設けられ、後に述べるように予約済み、駐車可、○○様等の表示ができることが好ましい。
【００１７】
センサ２０は、センサ用中継ボックス２４に接続され、この中継ボックス２４を介して管理センタ２６内に設けられた図２に示されるような駐車場管理システム３０にセンサ出力が供給され、駐車管理システム３０では、利用されている駐車エリア１８−１（Ｎ０．１）〜１８−５（Ｎ０．５）を管理することができる。また、駐車場管理システム３０は、表示用中継ボックス２８に接続され、各表示器２２には、駐車場管理システム３０からの表示信号がこの表示用中継ボックス２８を介して供給され、各表示器２２に必要な表示がなされる。管理センタ２６、或いは、他の場所には、駐車場、特に、駐車エリア１８、駐車場の入口２及び出口６を監視する為の監視カメラ３２が設けられ、この監視カメラ３２からのビデオ出力は、駐車場管理システム３０に含まれる駐車場監視用表示装置に供給され、常時駐車場の様子、特に駐車エリア１８及び駐車場の入口２及び出口６が表示装置に表示されている。この監視カメラ３２からのビデオ出力は、ある一定期間に亘って映像を保存可能なようにビデオ装置に入力され、保存されることが好ましい。
【００１８】
駐車予約精算機４は、図２に示すように主ＣＰＵユニット４２を含み、この主ＣＰＵユニット４２の制御下で作動する硬貨識別器４４、紙幣識別器４６及び駐車券発券及び精算器４５に接続されている。主ＣＰＵユニット４２は、同様に、この主ＣＰＵユニット４２の制御下で作動する表示装置４、入力キーユニット５０及びプリンタユニット５２に接続されている。これら主ＣＰＵユニット４２、硬貨識別器４４、紙幣識別器４６、表示装置４、入力キーユニット５０及びプリンタユニット５２は、図３に示されるような駐車予約精算機４の筐体４３内に格納され、この筐体４３には、各装置及びユニットに対応した投入返却口或いは操作部等が設けられている。
【００１９】
駐車予約精算機４では、後に述べるように駐車場への入場時或いは退出時に必要なメッセージ、例えば、「駐車できます。」、「駐車予約をされますか」、「予約済みですか」、或いは、「いつまで駐車される予定ですか」等が表示装置４に表示される。表示装置の指示に従い利用者が駐車することを希望する場合には、プリンタユニット５２で駐車券が印刷され、駐車発券及び精算機４５から駐車券が発券される。また、駐車料金を予納する場合、或いは、駐車料金を清算する場合には、紙幣投入返却口５７及び硬貨投入返却口５９に紙幣及び硬貨を投入すると、硬貨識別器４４及び紙幣識別器４６は、投入された硬貨を識別してこれをカウントし、お釣りがある場合には、その紙幣投入返却口５７及び硬貨投入返却口５９に紙幣及び硬貨でお釣りが支払われる。料金を支払った後にその支払いをキャンセル場合には、取消スイッチ６１を押すことによって、その支払った紙幣及び硬貨がその紙幣投入返却口５７及び硬貨投入返却口５９から払い戻される。このような駐車料金の支払い、清算及び返却に関する金額等は、同様に表示装置４に表示される。駐車料金の精算の際には、例えば、予納で駐車料金を支払ったにも拘わらず、想定した駐車時間を経過して追加の駐車料金を支払った場合、或いは、駐車後の退出時に料金を清算する場合には、駐車券発券及び清算器４５に駐車券を投入することによって、清算がなされ、その金額が表示装置４に表示される。予納或いは清算の際には、プリンタユニット５２でレシートが印刷され、駐車発券及び精算機４５からレシートが出力される。入力キーユニット５０は、駐車の際或いは駐車場から退出する際に必要な情報をユーザが入力することができるように設けられている。この入力キー５０は、表示装置４上に設けたタッチパネルのようなものでも良い。
【００２０】
尚、当然のことながら、駐車料金の支払いは、現金に限らず、クレジット・カード或いはプリぺード・カードが利用されても良い。駐車発券及び精算機４５は、これらクレジット・カード或いはプリぺード・カードに対応していることが好ましい。
【００２１】
駐車予約精算機４の主ＣＰＵユニット４２によって遮断開閉器が制御される。即ち、駐車を希望する旨が入力キーユニット５０を介して入力された場合に遮断開閉器１２が開かれ、車両１０の入場が許され、また、駐車予約精算機４で清算が終了した際に遮断開閉器１４が開かれることとなる。
【００２２】
駐車予約精算機４には、付属設備としてカメラ５４が設けられ、このカメラ５４で駐車予約精算機４を利用する利用者等が撮影され、この撮影画像は、駐車場管理システム３０に転送され、駐車場管理システム３０の表示装置（図示せず）に表示され、が駐車予約精算機４の利用者を確認できることが好ましい。また、駐車予約精算機４に付随してイメージリーダ５５が設けられ、必要に応じて免許書等の画像を入力することができることが好ましい。利用者が長期に亘って駐車場を利用する場合には、このイメージリーダ５５で取り込まれた画像が駐車場管理システム３０のデータベース６２で保存される。
【００２３】
駐車場管理システム３０は、図４に示すように管理用パソコン６０、この管理用パソコン６０からのデータを蓄積し、必要に応じてデータを管理用パソコン６０に送ることができるデータベースを備えている。管理用パソコン６０は、ローカルエアリアネットワーク（ＬＡＮ）６４に接続され、ローカルエアリアネットワーク（ＬＡＮ）６４には、通信装置を含むサーバ６６が接続されている。このエアリアネットワーク（ＬＡＮ）６４には、近隣の駐車場の駐車場管理システム３０が接続され、近隣の駐車場の空き情報等が定期的に管理用パソコン６０に通知され、当該駐車場が一杯で駐車不能の際に車両１０を他の近隣駐車場に誘導することができることが好ましい。
【００２４】
サーバは、電話網を含むインターネット網７０に接続され、このインターネット網７０には、携帯電話７６からの駐車場検索或いは予約依頼等の情報が送信される電話局等の基地局７２或いは利用者のパソコン７４に接続されている。従って、駐車場管理システム３０は、サーバ６６を介してインターネット網７０に接続され、携帯電話７６或いは利用者パソコン７４に駐車場情報、例えば、ある地域の駐車場空き状況を知らせることができ、また、携帯電話７６或いは利用者パソコン７４から駐車場の予約を受けることができる。
【００２５】
上述した駐車システムにおける駐車予約の手順及び駐車場管理の方法について図５から図１３を参照して説明する。
【００２６】
始めに、車両１０が直接駐車場に来場して車両１０を駐車する場合について図６に示すフローチャートを参照して説明する。
【００２７】
図６にステップＳ１０で示すように駐車予約の手順が開始された状態で、車両１０が遮断開閉装置１２に近づくと、センサ１３、１５が作動してステップＳ１２に示すように車両１０が遮断開閉装置１２の手前で停止されたことが検出される。この車両の停車が検出されることによって、カメラ５４が停車した車両に向けられ、駐車場利用者の画像が駐車場管理システム３０に送られ、利用者の画像が撮影されて、利用者が駐車予約精算機４を利用している状況がモニターされる。また、車両１０が停止されると、表示器１６には、”○○パーキングにようこそ”の表示があり、駐車予約精算機４には、ステップＳ１４に示すように”予約済みですか？”、”はい（ＹＥＳ）”及び”いいえ（ＮＯ）”が表示される。駐車場利用者が”いいえ（ＮＯ）”を選択すると、図５に示すような駐車場利用モードの選択画面が表示装置４に表示される。
【００２８】
この選択画面には、現在日付及び時刻と共に駐車期間のモード選択項目、例えば、１２時間までの時間貸しＴ１、最長１日（２４時間まで）までの時間貸しＴ２、最長３日（７２時間）までの時間貸しＴ３及び週並びに月単位の週・月貸しＴ４の項目が表示される。ここで、時間貸しＴ１では、３０分単位で１２時間までの予約が可能であり、時間貸しＴ２では、同様に３０分単位で２４時間までの予約が可能である。また、時間貸しＴ３では、日数単位、例えば、２日と時間で予約が可能であり、週・月貸しＴ４では、月或いは週単位、例えば、２週間と時間と可能である。これらの選択駐車モードＴ１〜Ｔ４については、夫々基準料金が異なるように設定されることが利用者の便宜の為に好ましい。例えば、時間を単位として料金を算定すると、時間貸しＴ１が最も高く、週・月貸しＴ４が最も安くなるような関係（時間単価については、Ｔ１＞Ｔ２＞Ｔ３＞Ｔ４が成立するような関係）に設定されることが好ましい。また、このモード選択後における利用期間の予約は、一応の目安で利用者がその予約期間内或いは予約期間を超えて駐車可能であり、後にその清算ができることが好ましい。
【００２９】
一例として利用者がステップＳ１６で示すように図５の画面で時間貸しＴ１を選択した場合について説明する。時間貸しＴ１が選択されると、図７に示されるような画面が表示器１６に表示される。この画面において、予約済みでない場合には、利用開始時間項目Ｔｓとして現在の日付及び時間、例えば、１１月３日１３：２０が自動的に表示される。また、図７におけるインターネット予約項目Ｒ１は、表示されない。このインターネット予約項目Ｒ１については、後に説明する。
【００３０】
利用開始時間項目Ｔｓは、ハイライト表示され、この時間から駐車する場合には、ステップＳ１８において、テンキー８０中の承諾ＯＫが入力されることとなる。利用開始時間項目Ｔｓがハイライト表示されている間において、ステップＳ１８において、テンキー８０の非承諾ＮＯが入力されると、駐車場に来場して予約で駐車時刻を指定することができる。例えば、１時間後に再びこの駐車場に来て車両１０を駐車する場合には、ステップＳ２０において、この利用開始時間項目Ｔｓには、現在時刻から１時間経過した日付及び時刻、例えば、１１月３日１４：２０が入力されて承諾ＯＫが入力されることによって予約がなされることとなる。
【００３１】
利用開始時間項目Ｔｓに対して承諾ＯＫが入力された後において、ステップＳ２２に示すように駐車予定の終了時刻項目Ｔｅが決定されて承諾ＯＫが入力されると、ステップＳ２５に示すようにその開始時間から終了時間までの間の駐車場の空きエリアがあるかが確認される。空き時間がある場合（ステップＳ２５においてＹｅｓの場合）には、駐車予約精算機４の表示部４には、図８に示される画面が表示される。尚、図７において、ステップＳ２４に示すように、非承諾Ｎｏを入力すると、再び、利用開始時間項目Ｔｓの入力或いは訂正が可能となり、この利用開始時間項目Ｔｓに入力した後、再び、駐車予定の終了時刻項目Ｔｅに入力すると図７に示される画面が表示される。
【００３２】
図８に示される表示部４の画面では、予約の有無の項目Ｒ１、Ｒ２があり、予約がない場合には、予約無の項目Ｒ２の予約ナシがハイライト表示される。また、この画面では、１２時間までの時間貸しＴ１が選択されていることから、ステップＳ２６に示すように、利用状況に関する空き時間帯項目Ｕに現在時刻から１２時間経過前までの各駐車エリア１８−１（Ｎ０．１）〜１８−５（Ｎ０．５）の予約状況及び駐車状況が表示される。利用状況の空き時間帯項目Ｕには、利用者が指定した利用開始時間から利用終了時間までの時間帯が同様にハイライト表示される。この例において、利用者が１３：２０時から１５時を予約したものとすると、エリア３の時刻１３時−１４時及び時刻１４時−１５時がハイライト表示される。ここで、エリア３には、継続して時刻１５時−１６時及び１６時−１７時に亘って駐車することが可能である旨を示す特定色、例えば、オレンジが表示され、この時間帯も予約可である旨が表示される。ここで、ステップＳ２８に示すように、利用者が所定時間帯、例えば、１３時から１５時を超えて駐車場を利用する可能性が場合には、訂正の項目Ｃ２を指定してエリア３及び時刻１５時−１６時で指定される欄に触れると、駐車予定の時間帯が現在時刻１３時２０分−１６時に自動的に変更され、その時間帯がハイライト表示される。また、利用者がこの空き時間帯項目Ｕを参照して、所定時間帯、例えば、現在時刻１３時２０分から１５時以内の時間帯を指定する場合にも、訂正の項目Ｃ２を指定してエリア及び時間帯で指定される欄が指定されると、その時間帯の欄がハイライト表示される。駐車エリアは、基本的は、駐車場の運用管理の為に駐車場管理システム３０で指定されることが好ましい。例えば、訂正の項目Ｃ２を指定してエリア及び時間帯で指定されてもその時間帯、例えば、１３時から１５時以内の時間帯を指定する場合にも、エリア３ではなく、駐車場管理システム３０でエリア２の１３時から１５時以内の時間帯が指定されても良い。例えば、図８の画面において、訂正が指定されてエリア▲３▼及び時間帯現在時刻１３時２０分−１４時が指定されても、エリア▲２▼時間帯１３時−１４時の欄に予約が表示されてハイライトされても良い。この場合には、ステップＳ１８からステップＳ２６は、指定時刻で自動更新されることが好ましい。利用者にとっては、ある時間帯に駐車できれば、その駐車できるエリアに関しては、特別な興味を抱かないからである。
【００３３】
尚、図８に示す予約及び駐車状況の表示は、利用者の駐車を希望する時間帯に応じて刻々と変更される。一例として利用者が１３時から１８時まで連続して駐車することを希望する場合には、時間帯１６時から１９時で予約済みのエリア▲４▼の予約が時間帯時間帯１６時から１９時を維持したままでエリア▲５▼に変更され、エリア▲４▼の時間帯１３時から１８時が空けられ、来場した利用者には、その変更が判らない状態でエリア▲４▼の時間帯１３時から１８時が予約することができる。また、時間帯時間帯１６時から１９時を予約した車両が来場した際には、エリア▲５▼で時間帯時間帯１６時から１９時の間、車両を駐車することができる。
【００３４】
ステップＳ２５において空き時間がない場合（Ｎｏの場合）には、ステップＳ２７において、予約時間帯の変更があるか否かが問い合わされる。予約時間帯の変更がある場合には、再びステップＳ１８に戻される。また、予約時間帯の変更がない場合、予約変更しても依然に利用者が指定した時間帯に駐車エリアの空きがない場合には、ステップＳ２９に示すように「ご希望の駐車時間帯では、駐車エリアを確保できません。駐車エリアの空きがないので他の駐車場をご照会します。」が表示される。
【００３５】
尚、上述のステップ及び下記に述べるステップで駐車を取り止める場合には、取消ボタン６１を押すことによって予約等の入力事項を全てキャンセルすることができ、この取消スイッチ６１が押されることによって、ステップＳ１０に初期状態に戻される。
【００３６】
ステップＳ２８に示すように、図８に示す空き時間帯項目Ｕでハイライトされた予約に同意する際には、利用者は、確認の項目Ｃ１を指定することとなる。この確認がなされると、ステップＳ３０に示すように、図９に示される予備清算の画面が表示される。この予備清算画面には、駐車確認項目Ｆに駐車エリア▲３▼（図１において、エリア１８−３に相当する。）が表示され、日付及び駐車時間帯、例えば、１１月３日１３：２０〜１１月３日１５：００が表示される。また、予約番号項目ＩＤ１に予約番号が表示され、利用金額項目Ｍ１に予約に拘わる利用金額、例えば、￥１，３００が表示される。この予約番号は、サーバ６６側で付す番号でも、或いは、電話番号、車両番号、インターネット予約番号であっても良い。この表示状態で、ステップＳ３２に示すように紙幣投入返却口５７及び硬貨投入返却口５９に紙幣及び硬貨が支払われると、投入金額に投入された金額が表示され、お釣りがある場合には、紙幣投入返却口５７及び硬貨投入返却口５９から紙幣及び硬貨が支払われる。利用金額が支払われると、駐車券の発券項目Ｐがハイライトされ、この発券項目Ｐが指定されると、駐車券が発券される。この駐車券の発券で一連の駐車予約がステップＳ３４に示すように終了される。この駐車券には、駐車エリア▲３▼及び利用時間帯１１月３日１３：２０〜１１月３日１５：００並びに支払い金額￥１，３００が表示される。
【００３７】
ステップＳ２５及びステップＳ２７に示すように利用者が指定した時間帯に駐車エリアの空きがなく、その訂正を希望しない場合には、ステップ２９において、他の駐車場の予約画面がステップ２９において、表示され、ステップＳ３１において、その他の駐車場の予約画面が表示される。この他の駐車場の予約は、後に説明する図１１に示すステップが実行される。
【００３８】
ステップＳ１４において、予め駐車を予約している場合には、図７に示されるような画面で予約番号を項目Ｒ１に入力することによって、既に指定した予約項目が表示され、予約済みとのことでステップＳ２８に進む。ステップＳ２８において、図８或いは図１２に示す画面で予約の変更が可能となる。予約済みのステップＳ２８以降の手順は、上述したと同様の手順で画面が表示され、清算される。
【００３９】
また、上述した例では、モード選択項目として１２時間までの時間貸しＴ１を例に挙げているが、最長１日（２４時間まで）までの時間貸しＴ２のモードは、単にその時間が長く入力或いは表示される点のみが異なり、図７及び図８の画面は、実質同一であり、上述の説明を略援用することができる。また、最長３日（７２時間）までの時間貸しＴ３のモード及び週並びに月単位の週・月貸しＴ４のモードも、入力画面及び表示画面に駐車期間として時間のみでなく日付が加わる点のみが相違するにすぎない。従って、図７及び図８の画面に時間に加えて日付及び時間を入力及び表示できるようにすれば良いこととなる。
【００４０】
上述の駐車予約が終了すると、駐車券が発券される。その後、駐車エリア▲３▼に関する案内、例えば、「ゲートを左折してエリア▲３▼に向かってください。」が表示装置４に表示され、遮断開閉器１２が開かれ、その表示装置４の誘導指示に従って駐車エリア１８−３に向かうこととなる。駐車エリア１８−３に車両１０を駐車すると、車両の駐車がセンサ２０によって検出され、その駐車エリア１８−３に車両が駐車されたとして駐車場管理システム３０のデータベース６２における駐車エリア１８に関するデータが更新される。駐車場管理システム３０の管理用パソコン６０の表示装置には、駐車場の運用に関する図１０に示す駐車エリア１８に関する利用状況画面を表示させることができる。図１０は、長期の日数（１０月１日から１０月８日の８日間）に亘っての予約画面を示し、この図１０において、ハイライト表示された斜線は、現在車両が駐車され、駐車し続けている駐車中エリア１８を示し、斜線は、駐車予約がされた駐車予約エリア１８を示し、また、空白は、予約ナシの車両が駐車されていないエリア１８を示している。センサ１３、１５、２０及び駐車予約精算機４からの駐車情報を基に現在駐車中及び間もなく駐車が開始されるエリア１８が特定され、このデータがデータベース６２に格納されることによって、この図１０に示す駐車中エリアを表示することが可能となる。図１０に示す表示と同様に図５に示した駐車利用モードに応じた１２時間、２４時間或いは３日間と予約並びに駐車状況の画面が表示される。当然ながら、図１０において、横軸の日付或いは時間は、駐車利用モードに応じて定められる。駐車場の管理者は、図１０に示す駐車エリア１８に関する利用状況画面を参照することによって、電話等の直接的な問い合わせに対応することができる。
【００４１】
利用者が車両１０を駐車エリア１８−３に駐車してある時間経過後、駐車場から退出する際には、次のような手順で退出することとなる。駐車エリア１８−３から離れて車両１０が出口６に達して停車されると、センサ１５が車両１０の停車を検出する。このセンサ１５からの検出信号で駐車予約精算機８の表示装置４には、「料金の精算をお願いします。」と共に「駐車券を駐車券発券及び精算器４５に投入して下さい。」が表示される。駐車券が駐車券発券及び精算器４５に投入されると、駐車時間に伴う駐車料金が計算され、また、入場時に駐車券を発券するために支払った予納金との差額が計算され、その差額が表示装置４に表示される。例えば、予約した駐車期間よりも実際の駐車時間が短い場合には、「○○円を返却致します。」が表示され、投入返却口５７、５９に貨幣、紙幣が返却される。また、予約した駐車期間よりも実際の駐車時間が長い場合には、「○○円を追加願います。」が表示され、投入返却口５７、５９に貨幣又は紙幣が投入され、差額が清算される。このような清算が完了されると、駐車発券及び精算機４５から領収書が発行される。
【００４２】
この一連の料金の精算が終了すると、遮断開閉装置１４が開かれ、駐車場から車両１０が退出することができる。車両１０が退出すると、駐車場管理システム３０のデータベース６２における駐車エリア１８に関するデータが更新される。この駐車エリアデータは、センサ１３、１５、２０及び駐車予約精算機４からの駐車情報を基に更新される。
【００４３】
次に、図４に示した電話網或いはインターネット網７０を介して携帯電話７６或いはパソコン７４から駐車場管理システム３０にアクセスして駐車を予約する場合について図１１に示すフローチャートを参照して説明する。この説明は、図６において、ステップＳ３１で示す他駐車場を予約する手順でもある。
【００４４】
始めに、利用者がある地域に向かう場合に当該駐車場を利用する予定がある際には、携帯電話７６或いはパソコン７４からサーバ６６がアクセスされて駐車場の予約がステップＳ５０に示すように開始される。この携帯電話７６或いはパソコン７４からのアクセスに応答して、サーバ６６は、利用者に対して図５に示されるような予約画面のデータを利用者の携帯電話７６或いはパソコン７４に転送する。従って、その携帯電話７６或いはパソコン７４の表示画面には、図５に示される駐車場利用モードの選択画面が表示される。即ち、既に説明したステップＳ１６と同様にいずれかの駐車モードが選択されると、ステップＳ２０と同様に予約期間を促す画面のデータが携帯電話７６或いはパソコン７４に転送される。
【００４５】
利用者がステップＳ５２で示すように一例として図５の画面で時間貸しＴ１を選択した場合には、図７或いは図１２に示される画面が表示される。
【００４６】
ここで、パソコン７４で予約する場合には、図７に示されるようにインターネット予約項目Ｒ１が表示され、携帯電話７６で予約する場合には、図１２に示されるような電話予約項目Ｒ２が表示される。また、このインターネット予約項目Ｒ１、或いは、電話予約項目Ｒ２は、予約を特定する必須項目の一例であり、他の予約事項、例えば、常時駐車場を利用する顧客であればその顧客番号、或いは、車両番号で利用者を特定するようにしても良い。また、駐車料を予納した利用チケット、（プリぺード・カード等の磁気カード、或いは、ＩＣカードを含む。）を発行してそのチケット番号で利用者を特定するようにしても良い。このチケット等には、利用者を特定するバーコード或いはＩＤのマークが記述され、この記述を駐車券発券及び清算器４５で読み取ることによって、その予約を自動的に表示するようにしても良い。
【００４７】
ステップＳ５４に示すように利用開始時間項目Ｔｓ及び予約番号としての車両番号、インターネット予約項目Ｒ１、或いは、電話予約項目Ｒ２が入力され、また、ステップＳ５６に示すように終了時刻項目Ｔｅが入力され、承諾ＯＫが入力されると、ステップＳ５９に示すようにその開始時間から終了時間までの間の駐車場の空きエリアがあるかが確認される。空き時間がある場合（ステップＳ５９においてＹｅｓの場合）には、駐車予約精算機４の表示部４には、図８に示される画面が表示される。
【００４８】
尚、図７或いは図１２において、ステップＳ５８に示すように、非承諾Ｎｏを入力すると、再び、予約番号としてのインターネット予約項目Ｒ１、或いは、電話予約項目Ｒ２、利用開始時間項目Ｔｓ、駐車予定の終了時刻項目Ｔｅが空白状態で画面が表示される。また、利用状況の空き時間帯項目Ｕには、利用者が指定した利用開始時間から利用終了時間までの時間帯が同様にハイライト表示される。
【００４９】
図８に示される表示部４の画面では、予約有り項目Ｒ１がハイライト表示され、１２時間までの時間貸しＴ１が選択されていることから、ステップＳ６０に示すように、利用状況に関する空き時間帯項目Ｕに現在時刻から１２時間経過前までの各駐車エリア１８−１（Ｎ０．１）〜１８−５（Ｎ０．５）の予約状況及び駐車状況が表示される。この画面で既に説明したと同様に予約した時間帯がハイライト表示され、ステップＳ６２で予約を変更する場合には、好ましくは、既に説明したように利用状況に関する空き時間帯項目Ｕ内の時間帯を指定して予約時間が自動的に更新される。
【００５０】
ステップＳ５９において空き時間がない場合（Ｎｏの場合）には、ステップＳ６１において、予約時間帯の変更があるか否かが問い合わされる。予約時間帯の変更がある場合には、再びステップＳ５４に戻される。また、予約時間帯の変更がない場合、予約変更しても依然に利用者が指定した時間帯に駐車エリアの空きがない場合には、ステップＳ６１に示すように「ご希望の駐車時間帯では、駐車エリアを確保できません。駐車エリアの空きがないので他の駐車場をご照会します。」が表示される。
【００５１】
尚、上述のステップ及び下記に述べるステップで駐車を取り止める場合には、取消ボタン６１を押すことによって予約等の入力事項を全てキャンセルすることができ、この取消スイッチ６１が押されることによって、ステップＳ１０に初期状態に戻される。
【００５２】
ステップＳ６２に示すように、図８に示す空き時間帯項目Ｕでハイライトされた予約に同意する際には、利用者は、確認の項目Ｃ１を指定することとなる。この確認がなされると、ステップＳ６４に示すように、図９に示される予備清算の画面が表示される。この予備清算画面には、駐車確認項目Ｆに駐車エリア▲３▼が表示され、日付及び駐車時間帯、例えば、１１月３日１３：２０〜１１月３日１５：００が表示される。また、予約番号項目ＩＤ１に予約番号が表示され、利用金額項目Ｍ１に予約に拘わる利用金額、例えば、￥１，３００が表示される。この表示状態で、ステップＳ３２に示すように紙幣投入返却口５７及び硬貨投入返却口５９に紙幣及び硬貨が支払われると、投入金額に投入された金額が表示され、お釣りがある場合には、紙幣投入返却口５７及び硬貨投入返却口５９から紙幣及び硬貨が支払われる。利用金額が支払われると、駐車券の発券項目Ｐがハイライトされ、この発券項目Ｐが指定されると、駐車券が発券される。この駐車券の発券で一連の駐車予約がステップＳ６６に示すように終了される。この駐車券には、駐車エリア▲３▼及び利用時間帯１１月３日１３：２０〜１１月３日１５：００並びに支払い金額￥１，３００が表示される。
【００５３】
利用者が指定した時間帯に駐車エリアの空きがなく、その訂正を希望しない場合には、ステップ６１において、確認（Ｙｅｓ）が押されることによって、他の駐車場の予約画面がステップ６３において、その他の駐車場の予約画面が表示される。
【００５４】
上述した説明において、長期予約のモード、例えば、図５において、週・時間貸しの場合には、その車両の番号が予め登録され、イメージリーダ５５で利用者の免許書が画像読み取りされ、駐車場管理システム３０に長期駐車のデータとして登録されることが好ましい。また、駐車場の予約が終了した時点で、サーバ６６からその予約がされた駐車場に関する情報が携帯電話７６或いはパソコン７４に送られることが好ましい。利用者は、駐車場に関する情報、例えば、所在地或いは電話番号の情報から車両搭載のナビゲーションシステムで車両を駐車場までナビゲートすることができることが好ましい。また、利用者の携帯電話の番号が駐車場管理システム３０に登録されている場合には、駐車場利用時間終了時の所定時間前にメール或いは音声にてその終了時刻を確認させることができることが好ましい。
【００５５】
【発明の効果】
以上のようにこの発明によれば、駐車場利用者の様々な要望に応えることができる駐車予約精算機及びこの予約精算機を備えた駐車システムを提供することができる。
【図面の簡単な説明】
【図１】この発明の一実施形態に係る予約精算機を備えた駐車システムで管理される駐車場を説明する為の概略斜視図である。
【図２】図１に示されるシステムに含まれる予約精算機及び駐車管理システムを示すブロック図である。
【図３】図２に示される予約精算機の筐体前面の配置構造を概略的に示す平面図である。
【図４】図１に示される駐車システム及びその通信網を概略的に示すブロック図である。
【図５】図２に示される予約精算機の筐体に設けられた表示部に示される画面を概略的に示す平面図である。
【図６】図２に示される利用者からの入力に対する予約精算機での動作を示すフローチャートである。
【図７】図２に示される予約精算機の筐体に設けられた表示部に示される画面を概略的に示す平面図である。
【図８】図２に示される予約精算機の筐体に設けられた表示部に示される画面を概略的に示す平面図である。
【図９】図２に示される予約精算機の筐体に設けられた表示部に示される画面を概略的に示す平面図である。
【図１０】図２に示される予約精算機の筐体に設けられた表示部に示される画面を概略的に示す平面図である。
【図１１】図２に示される利用者からの入力に対する予約精算機での動作を示すフローチャートである。
【図１２】図２に示される予約精算機の筐体に設けられた表示部に示される画面を概略的に示す平面図である。
【符号の説明】
２．．．入口
６．．．出口
４．．．予約精算機
１０．．．車両
１３，１５，２０．．．センサ
１６、２２．．．表示器
２４．．．中継ボックス
２６．．．管理センタ
３０．．．駐車管理システム
３２．．．監視カメラ
４２．．．ＣＰＵユニット
４４．．．硬貨識別器
４５．．．駐車券発券及び精算器
４６．．．紙幣識別器
４．．．表示装置
５０．．．入力キーユニット
５２．．．プリンタユニット
５７．．．紙幣投入返却口
５９．．．硬貨投入返却口５９
６１．．．取消スイッチ
６６．．．エアリアネットワーク（ＬＡＮ）
【図１】
0003751892.tif 000002
【図２】
0003751892.tif 000003
【図３】
0003751892.tif 000004
【図４】
0003751892.tif 000005
【図５】
0003751892.tif 000006
【図６】
0003751892.tif 000007
【図７】
0003751892.tif 000008
【図８】
0003751892.tif 000009
【図９】
0003751892.tif 000010
【図１０】
0003751892.tif 000011
【図１１】
0003751892.tif 000012
【図１２】
0003751892.tif 000013